(57)【要約】【課題】スプリットベアラにおいてセカンダリ基地局に転送したデータをマスタ基地局から送信するための技術を提供することである。【解決手段】本発明の一態様は、キャリアアグリゲーションにおけるマスタ基地局として動作する基地局であって、セカンダリ基地局と連係したユーザ装置とのキャリアアグリゲーション通信を制御するキャリアアグリゲーション制御部と、前記キャリアアグリゲーション通信において前記ユーザ装置に送信するデータをマスタセルグループとセカンダリセルグループとに分配するデータ分配部とを有し、前記キャリアアグリゲーション制御部は、前記セカンダリ基地局に転送したデータを当該基地局から前記ユーザ装置に送信する場合、前記セカンダリ基地局に前記転送したデータを当該基地局から前記ユーザ装置に送信することを前記セカンダリ基地局に通知する基地局に関する。【選択図】図５
2016123051.tif 000002
【特許請求の範囲】
【請求項１】
キャリアアグリゲーションにおけるマスタ基地局として動作する基地局であって、
セカンダリ基地局と連係したユーザ装置とのキャリアアグリゲーション通信を制御するキャリアアグリゲーション制御部と、
前記キャリアアグリゲーション通信において前記ユーザ装置に送信するデータをマスタセルグループとセカンダリセルグループとに分配するデータ分配部と、
を有し、
前記キャリアアグリゲーション制御部は、前記セカンダリ基地局に転送したデータを当該基地局から前記ユーザ装置に送信する場合、前記セカンダリ基地局に前記転送したデータを当該基地局から前記ユーザ装置に送信することを前記セカンダリ基地局に通知する基地局。
【請求項２】
前記キャリアアグリゲーション制御部は、前記セカンダリ基地局からのフィードバック情報に基づき、前記セカンダリ基地局に転送したデータを当該基地局から前記ユーザ装置に送信することを決定する、請求項１記載の基地局。
【請求項３】
前記フィードバック情報は、前記セカンダリ基地局で期待されるスループットを含み、
前記キャリアアグリゲーション制御部は、前記セカンダリ基地局で期待されるスループットに基づき、前記セカンダリ基地局に転送したデータを当該基地局から前記ユーザ装置に送信することを決定する、請求項２記載の基地局。
【請求項４】
前記キャリアアグリゲーション制御部は、前記セカンダリ基地局にデータを転送してから所定の期間内に、前記転送したデータが前記ユーザ装置に送信されたことを示す送信完了通知を前記セカンダリ基地局から受信できなかった場合、前記セカンダリ基地局に転送したデータを当該基地局から前記ユーザ装置に送信することを決定する、請求項１記載の基地局。
【請求項５】
前記キャリアアグリゲーション制御部は、前記セカンダリ基地局に転送したデータを当該基地局から前記ユーザ装置に送信する場合、前記セカンダリ基地局に転送したデータのうち、前記ユーザ装置に送信されるべきデータのバッファ量又は前記セカンダリ基地局から破棄されるべきデータのバッファ量を前記セカンダリ基地局に通知する、請求項１乃至４何れか一項記載の基地局。
【請求項６】
前記キャリアアグリゲーション制御部は、前記セカンダリ基地局に転送したデータを当該基地局から前記ユーザ装置に送信する場合、前記セカンダリ基地局に転送したデータのうち、前記ユーザ装置に送信されるべきデータのデータ識別子又は前記セカンダリ基地局から破棄されるべきデータのデータ識別子を前記セカンダリ基地局に通知する、請求項１乃至４何れか一項記載の基地局。
【請求項７】
キャリアアグリゲーションにおけるセカンダリ基地局として動作する基地局であって、
マスタ基地局と連係したユーザ装置とのキャリアアグリゲーション通信を制御するキャリアアグリゲーション制御部と、
前記マスタ基地局から転送されたデータを格納及び管理するバッファ管理部と、
を有し、
前記バッファ管理部は、当該基地局に転送されたデータを前記マスタ基地局から前記ユーザ装置に送信することが前記マスタ基地局から通知されると、前記データを破棄する基地局。
【請求項８】
前記キャリアアグリゲーション制御部は、所定のイベントの発生に応答して、フィードバック情報を前記マスタ基地局に送信する、請求項７記載の基地局。
【請求項９】
当該基地局に転送されたデータのうち、当該基地局から前記ユーザ装置に送信されるべきデータのバッファ量又は当該基地局から破棄されるべきデータのバッファ量を前記マスタ基地局から通知されると、前記バッファ管理部は、前記通知されたバッファ量に基づき前記データを直近に転送されたデータから破棄する、請求項７又は８記載の基地局。
【請求項１０】
当該基地局に転送されたデータのうち、当該基地局から前記ユーザ装置に送信されるべきデータのデータ識別子又は当該基地局から破棄されるべきデータのデータ識別子を前記マスタ基地局から通知されると、前記バッファ管理部は、前記通知されたデータ識別子に対応するデータを破棄する、請求項７又は８記載の基地局。
【発明の詳細な説明】
【技術分野】
【０００１】
本発明は、無線通信システムに関する。
【背景技術】
【０００２】
現在、ＬＴＥシステムの次世代の通信規格として、ＬＴＥ−Ａｄｖａｎｃｅｄの高機能化が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）又はマスタセルグループ（ＭＣＧ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。
【０００４】
プライマリセル又はマスタセルグループは、ＬＴＥシステムのサービングセルと同様のセルであり、ユーザ装置とネットワークとの間の接続性を担保するためのセルである。他方、セカンダリセル又はセカンダリセルグループは、プライマリセルに追加されてユーザ装置に設定されるセル又はセルグループである。
【０００５】
ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【０００６】
このようなデュアルコネクティビティにおいて、スプリットベアラ（Ｓｐｌｉｔ  Ｂｅａｒｅｒ）が設定される。マスタ基地局又はマクロ基地局（ＭｅＮＢ）がベアラを分配するアンカーノードとして利用される場合、図２に示されるように、マスタ基地局は、Ｓ−ＧＷ（Ｓｅｒｖｉｎｇ  Ｇａｔｅｗａｙ）から受信したダウンリンクパケットを、自らのセルを介しユーザ装置に送信するパケットとセカンダリ基地局（ＳｅＮＢ）を経由してユーザ装置に送信するパケットとに分配する。
【０００７】
マスタ基地局をアンカーノードとしたスプリットベアラが設定される場合、図３に示されるように、ユーザ装置は、マスタ基地局のための物理レイヤ（ＰＨＹ）、ＭＡＣ（Ｍｅｄｉｕｍ  Ａｃｃｅｓｓ  Ｃｏｎｔｒｏｌ）レイヤ（ｍ−ＭＡＣ）及びＲＬＣ（Ｒａｄｉｏ  Ｌｉｎｋ  Ｃｏｎｔｒｏｌ）レイヤ（ｍ−ＲＬＣ）と、セカンダリ基地局のためのＰＨＹレイヤ、ｓ−ＭＡＣレイヤ及びｓ−ＲＬＣレイヤと、ｍ−ＲＬＣレイヤ及びｓ−ＲＬＣレイヤに接続されるＰＤＣＰ（Ｐａｃｋｅｔ  Ｄａｔａ  Ｃｏｎｖｅｒｇｅｎｃｅ  Ｐｒｏｔｏｃｏｌ）レイヤとを有する。マスタ基地局から受信したパケットとセカンダリ基地局から受信したパケットとは、ＰＤＣＰレイヤにおいてリオーダリングされ、上位レイヤに送出される。このように、スプリットベアラでは、受信側のＰＤＣＰレイヤが、ｍ−ＲＬＣレイヤとｓ−ＲＬＣレイヤとの双方から受信したＲＬＣ  ＳＤＵ（Ｓｅｒｖｉｃｅ  Ｄａｔａ  Ｕｎｉｔ）をリオーダリングする。
【０００８】
スプリットベアラによりスループットを向上させるためには、各基地局において適切な量のダウンリンクデータが滞留する必要がある。例えば、各基地局に滞留するダウンリンクデータが少なすぎると、データ枯渇によりスケジューリング機会の損失が発生して当該基地局におけるスループットの向上を見込むことができなくなる。他方、各基地局に滞留するダウンリンクデータが多すぎると、ＰＤＣＰウィンドウストーリングが発生し、スループットが低下する可能性がある。
【０００９】
スプリットベアラでは、マスタ基地局がこのようなフロー制御機能を担うことになり、マスタセルグループ（ＭＣＧ）とセカンダリセルグループ（ＳＣＧ）とにおけるデータレートに基づきＭＣＧから送信するデータとＳＣＧから送信するデータとを適切に分配する。具体的には、マスタ基地局は、セカンダリ基地局からフィードバック情報を取得し、取得したフィードバック情報に基づきダウンリンクデータを分配する。当該フィードバック情報として、例えば、当該セカンダリ基地局がユーザ装置に送信したデータに対してユーザ装置から送達確認又はアクノリッジメント（ＡＣＫ）を受信したデータ量、当該セカンダリ基地局における混雑度を示すＰＲＢ（Ｐｈｙｓｉｃａｌ  Ｒｅｓｏｕｒｃｅ  Ｂｌｏｃｋ）メジャメント、当該セカンダリ基地局の空きバッファ量などがあげられる。
【先行技術文献】
【非特許文献】
【００１０】
【非特許文献１】Ｒ２−１３１７８２
【非特許文献２】３ＧＰＰ  ＴＳ  ３６．４２５  Ｖ１．０．０（２０１４−１２）
【発明の概要】
【発明が解決しようとする課題】
【００１１】
このようなフロー制御機能によると、セカンダリ基地局に転送されるデータ量は、セカンダリ基地局における混雑度や無線品質によって動的に変動することになる。セカンダリ基地局における混雑度や無線品質の変動により良好に追従するため、フィードバック情報を頻繁に送信することが考えられる。しかしながら、この場合、マスタ基地局とセカンダリ基地局との間のシグナリングが増加することになる。他方、フィードバック情報の送信頻度が低くなると、セカンダリ基地局におけるデータ量の枯渇や過剰転送によるＰＤＣＰウィンドウストーリングが発生することになる。
【００１２】
すなわち、マスタ基地局から転送されたＰＤＣＰ  ＰＤＵ（Ｐａｃｋｅｔ  Ｄａｔａ  Ｕｎｉｔ）の量がセカンダリ基地局において期待される無線レートに対して過剰である場合、セカンダリ基地局によるデータ送信の遅延のため、マスタ基地局から後続のデータをユーザ装置に送信することができなくなる。このため、ＰＤＣＰウィンドウストーリングが発生する可能性がある。マスタ基地局は、これを回避するためセカンダリ基地局からの送信を断念して、セカンダリ基地局に転送したデータをユーザ装置に自ら送信することが想定される。例えば、セカンダリ基地局における無線品質が予期せずに劣化した場合やセカンダリ基地局が急に混雑した場合などに、マスタ基地局は、セカンダリ基地局に転送したデータをユーザ装置に自ら送信することが可能である。
【００１３】
従来技術によると、セカンダリ基地局は、このようなマスタ基地局からの代送を意識することなく、マスタ基地局から転送された全てのデータをユーザ装置に送信することを試みる。しかしながら、マスタ基地局がセカンダリ基地局に転送したデータを自ら送信し続けると、ユーザ装置における受信データのリオーダリングのための受信ウィンドウは更新され続けることになる。このため、ユーザ装置は、マスタ基地局から受信したデータに相当するセカンダリ基地局から遅延して受信したデータを新たなデータだと誤認識し、ＨＦＮ（Ｈｙｐｅｒ  Ｆｒａｍｅ  Ｎｕｍｂｅｒ）の同期外れが発生するという弊害が生じることになる。
【００１４】
上述した問題点を鑑み、本発明の課題は、スプリットベアラにおいてセカンダリ基地局に転送したデータをマスタ基地局から送信するための技術を提供することである。
【課題を解決するための手段】
【００１５】
上記課題を鑑み、本発明の一態様は、キャリアアグリゲーションにおけるマスタ基地局として動作する基地局であって、セカンダリ基地局と連係したユーザ装置とのキャリアアグリゲーション通信を制御するキャリアアグリゲーション制御部と、前記キャリアアグリゲーション通信において前記ユーザ装置に送信するデータをマスタセルグループとセカンダリセルグループとに分配するデータ分配部とを有し、前記キャリアアグリゲーション制御部は、前記セカンダリ基地局に転送したデータを当該基地局から前記ユーザ装置に送信する場合、前記セカンダリ基地局に前記転送したデータを当該基地局から前記ユーザ装置に送信することを前記セカンダリ基地局に通知する基地局に関する。
【００１６】
本発明の他の態様は、キャリアアグリゲーションにおけるセカンダリ基地局として動作する基地局であって、マスタ基地局と連係したユーザ装置とのキャリアアグリゲーション通信を制御するキャリアアグリゲーション制御部と、前記マスタ基地局から転送されたデータを格納及び管理するバッファ管理部とを有し、前記バッファ管理部は、当該基地局に転送されたデータを前記マスタ基地局から前記ユーザ装置に送信することが前記マスタ基地局から通知されると、前記データを破棄する基地局に関する。
【発明の効果】
【００１７】
本発明によると、スプリットベアラにおいてセカンダリ基地局に転送したデータをマスタ基地局から適切に送信することができる。
【図面の簡単な説明】
【００１８】
【図１】図１は、キャリアアグリゲーションを示す概略図である。
【図２】図２は、マクロ基地局をアンカーノードとするスプリットベアラを示す概略図である。
【図３】図３は、スプリットベアラ設定時のダウンリンク通信のためのレイヤ構成を示す概略図である。
【図４】図４は、本発明の一実施例による無線通信システムを示す概略図である。
【図５】図５は、本発明の一実施例によるマスタ基地局の構成を示すブロック図である。
【図６】図６は、本発明の一実施例によるマスタ基地局におけるスプリットベアラ処理を示すフロー図である。
【図７】図７は、本発明の一実施例によるセカンダリ基地局の構成を示すブロック図である。
【図８】図８は、本発明の一実施例によるセカンダリ基地局におけるスプリットベアラ処理を示すフロー図である。
【発明を実施するための形態】
【００１９】
以下、図面に基づいて本発明の実施の形態を説明する。
【００２０】
後述される実施例では、デュアルコネクティビティをサポートするユーザ装置及び基地局が開示される。本発明を概略すると、セカンダリ基地局におけるユーザ装置への送信遅延の発生などによって、スプリットベアラにおけるアンカーノードとして機能するマスタ基地局が、セカンダリ基地局に分配したデータを代わりにユーザ装置に送信する。このとき、マスタ基地局は、データがセカンダリ基地局からユーザ装置に重複して送信されることを防ぐため、セカンダリ基地局に転送されたデータがマスタ基地局からユーザ装置に送信されることをセカンダリ基地局に通知する。当該通知を受信すると、セカンダリ基地局は、当該通知により指定されたデータをユーザ装置に送信することを止め、当該データをバッファから破棄する。
【００２１】
これにより、送信遅延のないマスタ基地局からユーザ装置にデータを代わりに送信することが可能になると共に、同一のデータがマスタ基地局とセカンダリ基地局との双方から送信されることによってユーザ装置に生じるＰＤＣＰウィンドウストーリングなどの受信処理の弊害を回避することが可能になる。
【００２２】
図４を参照して、本発明の一実施例による無線通信システムを説明する。図４は、本発明の一実施例による無線通信システムを示す概略図である。
【００２３】
図４に示されるように、無線通信システム１０は、マスタ基地局１００、セカンダリ基地局２００及びユーザ装置３００を有する。無線通信システム１０は、ユーザ装置３００がマスタ基地局１００及びセカンダリ基地局２００によりそれぞれ提供されるマスタセルグループ（ＭＣＧ）及びセカンダリセルグループ（ＳＣＧ）を用いて同時通信するデュアルコネクティビティをサポートし、例えば、ＬＴＥ−Ａｄｖａｎｃｅｄシステムであってもよい。図示されるように、ユーザ装置３００は、デュアルコネクティビティ機能を利用して、マスタ基地局（ＭｅＮＢ）１００とセカンダリ基地局（ＳｅＮＢ）２００との間で通信する。図示された実施例では、２つの基地局１００，２００しか示されていないが、一般には、無線通信システム１０のサービスエリアをカバーするよう多数の基地局１００，２００が配置される。
【００２４】
基地局１００，２００は、ユーザ装置３００と無線接続することによって、コアネットワーク（図示せず）上に通信接続された上位局やサーバなどのネットワーク装置から受信したダウンリンク（ＤＬ）パケットをユーザ装置３００に送信すると共に、ユーザ装置３００から受信したアップリンク（ＵＬ）パケットをネットワーク装置に送信する。図示された実施例では、基地局１００がマスタ基地局（ＭｅＮＢ）又はプライマリ基地局として機能し、基地局２００がセカンダリ基地局（ＳｅＮＢ）として機能する。デュアルコネクティビティでは、マスタ基地局１００が、ユーザ装置３００と基地局１００，２００との間のデュアルコネクティビティによる同時通信を制御すると共に、上位のコアネットワーク（図示せず）との間の通信を制御する。
【００２５】
基地局１００，２００は、典型的には、ユーザ装置３００との間で無線信号を送受信するためのアンテナ、隣接する基地局１００，２００と通信するための通信インタフェース（Ｘ２インタフェースなど）、コアネットワークと通信するための通信インタフェース（Ｓ１インタフェースなど）、ユーザ装置３００との送受信信号を処理するためのプロセッサや回路などのハードウェアリソースにより構成される。後述される基地局１００，２００の各機能及び処理は、メモリ装置に格納されているデータやプログラムをプロセッサが処理又は実行することによって実現されてもよい。しかしながら、基地局１００，２００は、上述したハードウェア構成に限定されず、他の何れか適切なハードウェア構成を有してもよい。
【００２６】
ユーザ装置３００は、複数の基地局１００，２００と同時通信するデュアルコネクティビティ機能を有する。典型的には、ユーザ装置３００は、図示されるように、スマートフォン、携帯電話、タブレット、モバイルルータ、ウェアラブル端末などの無線通信機能を備えた何れか適切な情報処理装置であってもよい。ユーザ装置３００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００，２００との間で無線信号を送受信するための無線通信装置などから構成される。例えば、後述されるユーザ装置３００の各機能及び処理は、メモリ装置に格納されているデータやプログラムをＣＰＵが処理又は実行することによって実現されてもよい。しかしながら、ユーザ装置３００は、上述したハードウェア構成に限定されず、後述する処理の１以上を実現する回路などにより構成されてもよい。
【００２７】
次に、図５〜６を参照して、本発明の一実施例によるマスタ基地局を説明する。本実施例では、マスタ基地局１００とセカンダリ基地局２００とが、連係してユーザ装置３００とキャリアアグリゲーション通信を実行する。
【００２８】
図５は、本発明の一実施例によるマスタ基地局の構成を示すブロック図である。図５に示されるように、マスタ基地局１００は、キャリアアグリゲーション制御部１１０及びデータ分配部１２０を有する。
【００２９】
キャリアアグリゲーション制御部１１０は、セカンダリ基地局２００と連係したユーザ装置３００とのキャリアアグリゲーション通信を制御すると共に、セカンダリ基地局２００に転送したデータをマスタ基地局１００からユーザ装置３００に送信する場合、セカンダリ基地局２００に転送したデータをマスタ基地局１００からユーザ装置３００に送信することをセカンダリ基地局２００に通知する。具体的には、キャリアアグリゲーション制御部１１０は、マスタ基地局１００により提供されるマスタセルグループ（ＭＣＧ）と、セカンダリ基地局２００により提供されるセカンダリセルグループ（ＳＣＧ）とを用いて、ユーザ装置３００とのキャリアアグリゲーション通信を実行する。例えば、ダウンリンクのスプリットベアラでは、マスタ基地局１００は、ベアラを分配するアンカーノードとして機能し、キャリアアグリゲーション制御部１１０は、コアネットワークから受信したダウンリンクパケットをルーティングし、一方のパケットを自らのマスタセルグループ（ＭＣＧ）を介しユーザ装置３００に送信すると共に、他方のパケットをセカンダリ基地局２００に転送する。当該データ分配は、典型的には、セカンダリ基地局２００に滞留するデータ量がスループットの向上に適したものになるように行われ、例えば、セカンダリ基地局２００における無線品質や混雑度などのフィードバック情報（許容されるバッファサイズ、期待される平均レートなど）に基づき行われる。
【００３０】
セカンダリ基地局２００からユーザ装置３００に送信されるデータの送信遅延が発生するなどによって、セカンダリ基地局２００に転送したデータをマスタ基地局１００からユーザ装置に送信する場合、キャリアアグリゲーション制御部１１０は、セカンダリ基地局２００に転送したデータのうち、マスタ基地局１００からユーザ装置３００に代わりに送信するデータを決定し、当該データをマスタ基地局１００からユーザ装置３００に送信することをセカンダリ基地局２００に通知する。
【００３１】
データ分配部１２０は、キャリアアグリゲーション通信においてユーザ装置３００に送信するデータをマスタセルグループ（ＭＣＧ）とセカンダリセルグループ（ＳＣＧ）とに分配する。例えば、データ分配部１２０は、セカンダリ基地局２００からのフィードバック情報に基づき、ユーザ装置３００に送信するデータをマスタセルグループとセカンダリセルグループとに分配し、セカンダリセルグループに分配されたデータをセカンダリ基地局２００に転送する。データ分配部１２０は、セカンダリ基地局２００のバッファサイズや期待される送信レートなどに基づきセカンダリ基地局２００に滞留させるデータ量を判断し、判断したデータ量に対応して、ユーザ装置３００に送信するデータをマスタセルグループとセカンダリセルグループとに分配してもよい。
【００３２】
一実施例では、キャリアアグリゲーション制御部１１０は、セカンダリ基地局２００からのフィードバック情報に基づき、セカンダリ基地局２００に転送したデータをマスタ基地局１００からユーザ装置３００に送信することを決定してもよい。フィードバック情報は、例えば、セカンダリ基地局２００のバッファサイズ、セカンダリ基地局２００で期待される（平均）送信レートやスループット、セカンダリ基地局２００がユーザ装置３００に送信したデータに対してユーザ装置３００からアクノリッジメント（ＡＣＫ）を受信したデータ量、セカンダリ基地局２００における混雑度を示すＰＲＢメジャメント、セカンダリ基地局２００の空きバッファ量などを含むものであってもよい。セカンダリ基地局２００は、定期的に又は所定のイベントの発生に応答してマスタ基地局１００にこのようなフィードバック情報を送信してもよい。所定のイベントとしては、例えば、フィードバック情報に含まれる上記の指標の何れかが所定の閾値を上回った又は下回ったときであってもよい。例えば、セカンダリ基地局２００において期待される送信レートが所定の閾値を下回ると、セカンダリ基地局２００は、フィードバック情報として期待される送信レートをマスタ基地局１００に通知してもよい。
【００３３】
一実施例では、キャリアアグリゲーション制御部１１０は、セカンダリ基地局２００で期待されるスループットに基づき、セカンダリ基地局２００に転送したデータをマスタ基地局１００からユーザ装置３００に送信することを決定してもよい。一例として、セカンダリ基地局２００で期待されるスループットが所定の閾値を下回った場合、キャリアアグリゲーション制御部１１０は、セカンダリ基地局２００に転送したデータをマスタ基地局１００からユーザ装置３００に代わりに送信することを決定してもよい。あるいは、マスタ基地局１００で期待されるスループットからセカンダリ基地局２００で期待されるスループットを減じた差分が所定の閾値を上回った場合、キャリアアグリゲーション制御部１１０は、セカンダリ基地局２００に転送したデータをマスタ基地局１００からユーザ装置３００に代わりに送信することを決定してもよい。他の例として、セカンダリ基地局２００で期待されるスループットと所定の期間との積が、セカンダリ基地局２００に滞留するデータ量以下になった場合、キャリアアグリゲーション制御部１１０は、セカンダリ基地局２００に転送したデータをマスタ基地局１００からユーザ装置３００に代わりに送信することを決定してもよい。
【００３４】
一実施例では、キャリアアグリゲーション制御部１１０は、セカンダリ基地局２００にデータを転送してから所定の期間内に、転送したデータがユーザ装置３００に送信されたことを示す送信完了通知をセカンダリ基地局２００から受信できなかった場合、セカンダリ基地局２００に転送したデータをマスタ基地局１００からユーザ装置に送信することを決定してもよい。典型的には、セカンダリ基地局２００がユーザ装置３００にデータを送信し、当該データに対するＡＣＫをユーザ装置３００から受信すると、セカンダリ基地局２００は、マスタ基地局１００に当該ＡＣＫを転送する。このため、セカンダリ基地局２００にデータを転送してから所定の期間内に、転送したデータがユーザ装置３００に送信されたことを示すＡＣＫを受信できなかった場合、キャリアアグリゲーション制御部１１０は、セカンダリ基地局２００においてユーザ装置３００への送信遅延が発生していると判断することができ、当該データを自らユーザ装置３００に送信することを決定してもよい。
【００３５】
一実施例では、キャリアアグリゲーション制御部１１０は、セカンダリ基地局２００に転送したデータをマスタ基地局１００からユーザ装置３００に送信する場合、セカンダリ基地局２００に転送したデータのうち、ユーザ装置３００に送信されるべきデータのバッファ量又はセカンダリ基地局２００から破棄されるべきデータのバッファ量をセカンダリ基地局２００に通知してもよい。すなわち、キャリアアグリゲーション制御部１１０は、セカンダリ基地局２００に転送したデータをマスタ基地局１００からユーザ装置３００に送信することをセカンダリ基地局２００に通知する際、ユーザ装置３００に自らが送信するデータをバッファ量により通知してもよい。例えば、キャリアアグリゲーション制御部１１０が、ユーザ装置３００に送信されるべきデータのバッファ量をセカンダリ基地局２００に通知する場合、キャリアアグリゲーション制御部１１０は、セカンダリ基地局２００に転送したデータのうち転送順に関してより以前に転送したデータから、通知したバッファ量に対応するデータをセカンダリ基地局２００に送信させ、それ以外の転送したデータを自らユーザ装置３００に送信する。また、セカンダリ基地局２００から破棄されるべきデータのバッファ量をセカンダリ基地局２００に通知する場合、キャリアアグリゲーション制御部１１０は、セカンダリ基地局２００に転送したデータのうち転送順に関してより直近に転送したデータから、通知したバッファ量に対応するデータを自らユーザ装置３００に送信し、それ以外の転送したデータをセカンダリ基地局２００に送信させる。
【００３６】
他の実施例では、キャリアアグリゲーション制御部１１０は、セカンダリ基地局２００に転送したデータをマスタ基地局１００からユーザ装置３００に送信する場合、セカンダリ基地局２００に転送したデータのうち、ユーザ装置３００に送信されるべきデータのデータ識別子又はセカンダリ基地局２００から破棄されるべきデータのデータ識別子をセカンダリ基地局２００に通知してもよい。すなわち、キャリアアグリゲーション制御部１１０は、セカンダリ基地局２００に転送したデータをマスタ基地局１００からユーザ装置３００に送信することをセカンダリ基地局２００に通知する際、ユーザ装置３００に自らが送信するデータをデータ識別子により指定してもよい。キャリアアグリゲーション制御部１１０が、セカンダリ基地局２００からユーザ装置３００に送信されるべきデータのデータ識別子をセカンダリ基地局２００に通知する場合、キャリアアグリゲーション制御部１１０は、セカンダリ基地局２００に転送したデータのうち、データ識別子により指定されたデータをセカンダリ基地局２００に送信させ、それ以外の転送したデータを自らユーザ装置３００に送信する。また、セカンダリ基地局２００から破棄されるべきデータのデータ識別子をセカンダリ基地局２００に通知する場合、キャリアアグリゲーション制御部１１０は、セカンダリ基地局２００に転送したデータのうち、データ識別子により指定されたデータを自らユーザ装置３００に送信し、それ以外の転送したデータをセカンダリ基地局２００に送信させる。当該データ識別子は、具体的には、ＬＴＥ規格によるＰＤＣＰシーケンス番号（ＳＮ）、ＣＯＵＮＴ値又はＰＤＵが格納されたＧＴＰｕパケットのシーケンス番号（ＳＮ）であってもよい。また、ＰＤＣＰ  ＳＮ又はＣＯＵＮＴ値が利用される場合、キャリアアグリゲーション制御部１１０は、対象となるＰＤＵのリストを通知してもよいし、あるいは、特定のＰＤＵのＳＮのみを通知してもよい。
【００３７】
セカンダリ基地局２００に転送したデータをマスタ基地局１００からユーザ装置３００に送信することを示す通知は、マスタ基地局１００からユーザ装置３００への送信が行われる前に行われてもよいし、実際に無線送信した（ＭＡＣ  ＰＤＵにマッピングした）タイミングで行われてもよいし、あるいは、無線送信後にユーザ装置３００からアクノリッジメントを受信した時点で行われてもよい。
【００３８】
図６は、本発明の一実施例によるマスタ基地局におけるスプリットベアラ処理を示すフロー図である。
【００３９】
図６に示されるように、ステップＳ１０１において、マスタ基地局１００は、ユーザ装置３００宛てのダウンリンクデータをマスタセルグループ（ＭＣＧ）により送信するデータとセカンダリセルグループ（ＳＣＧ）により送信するデータとに分割し、セカンダリセルグループにより送信するデータをセカンダリ基地局２００に転送する。例えば、当該データ分配は、セカンダリ基地局２００からのフィードバック情報などに基づき行われてもよい。
【００４０】
ステップＳ１０２において、マスタ基地局１００は、セカンダリ基地局２００に転送したデータをマスタ基地局１００からユーザ装置３００に送信するか判断する。当該判断は、例えば、セカンダリ基地局２００からのフィードバック情報などに基づき行われてもよく、フィードバック情報について上述した指標の何れか１つが所定の閾値を上回った又は下回った場合に、マスタ基地局１００は、セカンダリ基地局２００に転送したデータをマスタ基地局１００からユーザ装置３００に送信することを判断してもよい。
【００４１】
セカンダリ基地局２００に転送したデータをマスタ基地局１００からユーザ装置３００に送信することを判断した場合（Ｓ１０２：ＹＥＳ）、ステップＳ１０３において、マスタ基地局１００は、セカンダリ基地局２００に転送したデータを自らユーザ装置３００に送信すると共に、当該データの送信をセカンダリ基地局２００に通知する。ここで、当該通知は、セカンダリ基地局２００が送信又は破棄すべきデータを指定してもよい。
【００４２】
セカンダリ基地局２００に転送したデータをマスタ基地局１００からユーザ装置３００に送信しないことを判断した場合（Ｓ１０２：ＮＯ）、マスタ基地局１００は、転送済みのデータをセカンダリ基地局２００に送信させ続ける。
【００４３】
次に、図７〜８を参照して、本発明の一実施例によるセカンダリ基地局２００を説明する。本実施例では、マスタ基地局１００とセカンダリ基地局２００とが、連係してユーザ装置３００とキャリアアグリゲーション通信を実行する。
【００４４】
図７は、本発明の一実施例によるセカンダリ基地局の構成を示すブロック図である。図７に示されるように、セカンダリ基地局２００は、キャリアアグリゲーション制御部２１０及びバッファ管理部２２０を有する。
【００４５】
キャリアアグリゲーション制御部２１０は、マスタ基地局１００と連係したユーザ装置３００とのキャリアアグリゲーション通信を制御する。具体的には、キャリアアグリゲーション制御部２１０は、マスタ基地局１００により設定されたセカンダリセル又はセカンダリセルグループを提供し、当該セルを介しユーザ装置３００とのキャリアアグリゲーション通信を実行する。例えば、ダウンリンクのスプリットベアラでは、マスタ基地局２００は、ベアラを分配するアンカーノードとして機能し、コアネットワークから受信したダウンリンクパケットを分割し、一方のパケットを自らのマスタセルグループ（ＭＣＧ）を介しユーザ装置３００に送信すると共に、他方のパケットをセカンダリ基地局２００に転送する。当該データ分配は、典型的には、セカンダリ基地局２００に滞留するデータ量がスループットの向上に適したものになるように行われ、例えば、セカンダリ基地局２００における無線品質や混雑度などのフィードバック情報（許容されるバッファサイズ、期待される平均レートなど）に基づき行われる。
【００４６】
一実施例では、キャリアアグリゲーション制御部２１０は、所定のイベントの発生に応答して、フィードバック情報をマスタ基地局に送信してもよい。フィードバック情報は、例えば、セカンダリ基地局２００のバッファサイズ、セカンダリ基地局２００で期待される（平均）送信レートやスループット、セカンダリ基地局２００がユーザ装置３００に送信したデータに対してユーザ装置３００からアクノリッジメント（ＡＣＫ）を受信したデータ量、セカンダリ基地局２００における混雑度を示すＰＲＢメジャメント、セカンダリ基地局２００の空きバッファ量などを含むものであってもよい。また、所定のイベントとしては、例えば、フィードバック情報に含まれる上記の指標の何れかが所定の閾値を上回った又は下回ったときであってもよい。例えば、セカンダリ基地局２００において期待される送信レートが所定の閾値を下回ると、キャリアアグリゲーション制御部２１０は、フィードバック情報として期待される送信レートをマスタ基地局１００に通知してもよい。
【００４７】
バッファ管理部２２０は、マスタ基地局１００から転送されたデータを格納及び管理すると共に、セカンダリ基地局２００に転送されたデータをマスタ基地局１００からユーザ装置３００に送信することがマスタ基地局１００から通知されると、当該データを破棄する。例えば、セカンダリ基地局２００からユーザ装置３００に送信されるデータの送信遅延が発生するなどによって、セカンダリ基地局２００に転送したデータをマスタ基地局１００からユーザ装置に送信する場合、マスタ基地局１００は、セカンダリ基地局２００に転送したデータのうち、マスタ基地局１００からユーザ装置３００に送信するデータを決定し、当該データをマスタ基地局１００からユーザ装置３００に送信することをセカンダリ基地局２００に通知する。当該通知を受信すると、バッファ管理部２２０は、マスタ基地局１００からユーザ装置３００に送信されるデータ（ＰＤＣＰ  ＰＤＵなど）を破棄する。
【００４８】
一実施例では、セカンダリ基地局２００に転送されたデータのうち、セカンダリ基地局２００からユーザ装置３００に送信されるべきデータのバッファ量又はセカンダリ基地局２００から破棄されるべきデータのバッファ量をマスタ基地局１００から通知されると、バッファ管理部２２０は、通知されたバッファ量に基づきデータを直近に転送されたデータから破棄してもよい。例えば、マスタ基地局１００から当該転送順で転送されたｘ１，ｘ２，ｘ３，ｘ４，ｘ５のデータをバッファ管理部２２０が管理しているとする。このとき、セカンダリ基地局２００からユーザ装置３００に送信されるべきデータのバッファ量として３データ分のデータ量がマスタ基地局１００から通知された場合、セカンダリ基地局２００はｘ１，ｘ２，ｘ３をユーザ装置３００に送信し、マスタ基地局１００は残りのｘ４，ｘ５のデータをユーザ装置３００に代わりに送信する。このため、バッファ管理部２２０は、マスタ基地局１００により代わりに送信されるｘ４，ｘ５のデータを破棄する。一方、セカンダリ基地局２００から破棄されるべきデータのバッファ量として３データ分のデータ量がマスタ基地局１００から通知された場合、セカンダリ基地局２００はｘ１，ｘ２をユーザ装置３００に送信し、マスタ基地局１００は残りのｘ３，ｘ４，ｘ５のデータをユーザ装置３００に代わりに送信する。このため、バッファ管理部２２０は、マスタ基地局１００により代わりに送信されるｘ３，ｘ４，ｘ５のデータを破棄する。
【００４９】
他の実施例では、セカンダリ基地局２００に転送されたデータのうち、セカンダリ基地局２００からユーザ装置３００に送信されるべきデータのデータ識別子又はセカンダリ基地局２００から破棄されるべきデータのデータ識別子をマスタ基地局１００から通知されると、バッファ管理部２２０は、通知されたデータ識別子に対応するデータを破棄してもよい。当該データ識別子は、具体的には、ＬＴＥ規格によるＰＤＣＰシーケンス番号（ＳＮ）、ＣＯＵＮＴ値又はＰＤＵが格納されたＧＴＰｕパケットのシーケンス番号（ＳＮ）であってもよい。例えば、バッファ管理部２２０は、通知されたシーケンス番号以降のシーケンス番号を有するデータを全て破棄してもよい。また、既に無線送信されている場合、キャリアアグリゲーション制御部２１０は、ＭＡＣ／ＲＬＣ再送を停止してもよい。
【００５０】
一実施例では、データを破棄すると、キャリアアグリゲーション制御部２１０は、データが破棄されたことをマスタ基地局１００に通知してもよい。キャリアアグリゲーション制御部２１０は、データ破棄が完了したことを単に通知してもよいし、あるいは、破棄したデータのデータ識別子と共に通知してもよい。具体的には、破棄したＰＤＣＰ  ＰＤＵのＳＮやＣＯＵＮＴ値のリストが通知されてもよい。なお、データ破棄が実際に完了するまでには時間がかかる可能性があるため、データ破棄の完了時点でなく、破棄対象のデータをスケジューリング対象から除外した時点で通知されてもよい。
【００５１】
図８は、本発明の一実施例によるセカンダリ基地局におけるスプリットベアラ処理を示すフロー図である。
【００５２】
図８に示されるように、ステップＳ２０１において、セカンダリ基地局２００は、ユーザ装置３００宛てのダウンリンクデータをマスタ基地局１００から受信する。マスタ基地局１００によるダウンリンクデータの分配は、典型的には、セカンダリ基地局２００から送信されるフィードバック情報などに基づき行われる。
【００５３】
ステップＳ２０２において、セカンダリ基地局２００は、転送されたデータをマスタ基地局１００からユーザ装置３００に送信するという通知をマスタ基地局１００から受信したか判断する。セカンダリ基地局２００からユーザ装置３００に送信されるデータの送信遅延が発生するなどによって、セカンダリ基地局２００に転送したデータをマスタ基地局１００からユーザ装置に代わりに送信する場合、マスタ基地局１００は、セカンダリ基地局２００に転送したデータのうち、マスタ基地局１００からユーザ装置３００に代わりに送信するデータを決定し、当該データをマスタ基地局１００からユーザ装置３００に送信することをセカンダリ基地局２００に通知する。
【００５４】
転送されたデータをマスタ基地局１００からユーザ装置３００に送信するという通知をマスタ基地局１００から受信した場合（ステップＳ２０２：ＹＥＳ）、セカンダリ基地局２００は、マスタ基地局１００がセカンダリ基地局２００の代わりにユーザ装置３００にデータを送信すると判断し、ステップＳ２０３において、マスタ基地局１００によって代わりに送信されるデータを破棄する。
【００５５】
他方、転送されたデータをマスタ基地局１００からユーザ装置３００に送信するという通知をマスタ基地局１００から受信しなかった場合（ステップＳ２０２：ＮＯ）、セカンダリ基地局２００は、受信したデータをユーザ装置３００に送信し続ける。
【００５６】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５７】
１０  無線通信システム
１００  マスタ基地局
１１０  キャリアアグリゲーション制御部
１２０  データ分配部
２００  セカンダリ基地局
２１０  キャリアアグリゲーション制御部
２２０  バッファ管理部
３００  ユーザ装置
【図１】
2016123051.tif 000003
【図２】
2016123051.tif 000004
【図３】
2016123051.tif 000005
【図４】
2016123051.tif 000006
【図５】
2016123051.tif 000007
【図６】
2016123051.tif 000008
【図７】
2016123051.tif 000009
【図８】
2016123051.tif 000010